(57)【要約】【課題】サーバ負荷を軽減可能であり、サーバとの間で少ない通信データのやり取りで再生データを再生可能なアラーム再生システムを提供する。【解決手段】通信ネットワーク１を用いるアラーム再生システムは、サーバ２と、アラーム再生装置３とから構成される。サーバ２は、アラーム発生日時又は即時アラーム発生コマンドを含むアラーム発生タイミング情報と、再生データのダウンロード先情報を少なくとも含むアドレス情報とを有する。アラーム再生装置３は、サーバからアラーム発生タイミング情報とアドレス情報とを受信するサーバ情報受信部と、アドレス情報に基づき再生データをダウンロードする再生データ取得部と、アラーム発生タイミング情報のタイミングで、再生データ取得部による再生データを再生する再生部とを具備する。【選択図】図１
2010244275.tif 000002
【特許請求の範囲】
【請求項１】
通信ネットワークを用いるアラーム再生システムであって、該アラーム再生システムは、
アラーム発生日時又は即時アラーム発生コマンドを含むアラーム発生タイミング情報と、再生データのダウンロード先情報を少なくとも含むアドレス情報とを有するサーバと、
通信ネットワークを介して前記サーバに接続されるアラーム再生装置とを具備し、該アラーム再生装置が、
前記サーバからアラーム発生タイミング情報とアドレス情報とを受信するサーバ情報受信部と、
前記アドレス情報に基づき再生データをダウンロードする再生データ取得部と、
前記アラーム発生タイミング情報のタイミングで、前記再生データ取得部による再生データを再生する再生部と、
を具備することを特徴とするアラーム再生システム。
【請求項２】
請求項１に記載のアラーム再生システムにおいて、
前記アラーム再生装置は、再生データの部品である複数の要素データを有し、
前記サーバが有する再生データのアドレス情報には、さらに、前記複数の要素データの組み合わせ情報が含まれ、
前記再生データ取得部は、さらに、アドレス情報に基づき複数の要素データを組み合わせて再生データを構築することを特徴とするアラーム再生システム。
【請求項３】
請求項１又は請求項２に記載のアラーム再生システムにおいて、前記サーバが有するアドレス情報の再生データのダウンロード先情報が分散されることを特徴とするアラーム再生システム。
【請求項４】
請求項３に記載のアラーム再生システムにおいて、
前記サーバは、さらに、再生データのダウンロードタイミング情報を有し、
前記サーバ情報受信部は、ダウンロードタイミング情報も受信し、前記再生データ取得部は、前記ダウンロードタイミング情報に基づき所定のタイミングで再生データをダウンロードすることを特徴とするアラーム再生システム。
【請求項５】
請求項１乃至請求項４の何れかに記載のアラーム再生システムにおいて、前記アラーム再生装置は、該アラーム再生装置からのリクエストに応じて前記サーバからアドレス情報を受信することを特徴とするアラーム再生システム。
【請求項６】
請求項１乃至請求項５の何れかに記載のアラーム再生システムにおいて、前記アラーム再生装置は、さらに、入出力部を具備し、該入出力部に接続される外部機器を、前記サーバから制御可能であることを特徴とするアラーム再生システム。
【請求項７】
請求項１至請求項６の何れかに記載のアラーム再生システムにおいて、
前記アラーム再生装置が複数存在し、各アラーム再生装置は装置ＩＤをそれぞれ有し、
前記サーバは、アラーム再生装置の装置ＩＤのフィールドを含む装置テーブルと、各アラーム再生装置が属すべきグループＩＤのフィールドを含むグループテーブルと、装置ＩＤとグループＩＤを関連付ける関連付けテーブルとを具備するデータベースを有し、前記サーバが装置テーブルとグループテーブルと関連付けテーブルとを用いて、所定のグループＩＤに属する装置ＩＤを有するアラーム再生装置毎に異なるアラーム発生タイミング情報とアドレス情報とを送信することを特徴とするアラーム再生システム。
【請求項８】
請求項７に記載のアラーム再生システムにおいて、前記サーバは、さらに、地震の震源地と規模の情報を含む地震速報情報を受信する地震情報受信部を具備し、前記データベースを用いて震源地に基づきグループ分けされるグループＩＤに属する装置ＩＤを有するアラーム再生装置毎に異なるアラーム発生タイミング情報とアドレス情報を送信することを特徴とするアラーム再生システム。
【請求項９】
請求項８に記載のアラーム再生システムにおいて、前記地震情報受信部は、さらに、地震詳細情報を受信し、地震詳細情報に基づき再生データを生成し、該再生データをアドレス情報に基づき所定の記憶装置に記憶することを特徴とするアラーム再生システム。
【請求項１０】
請求項７乃至請求項９の何れかに記載のアラーム再生システムにおいて、
前記アラーム再生装置は、さらに、再生データの再生内容に対して応答可能なボタンと、ボタンの動作に応じた応答信号を生成する応答信号生成部とを具備し、
前記サーバのデータベースの装置テーブルには応答信号フィールドが含まれ、前記サーバは、前記応答信号生成部により生成される応答信号を受信し、応答信号フィールドに蓄積することを特徴とするアラーム再生システム。
【請求項１１】
請求項１０に記載のアラーム再生システムにおいて、
前記再生データ取得部は、複数の再生データを取得し、
前記ボタンは、複数の再生データから所定の再生データを選択可能であり、
前記生成部は、前記ボタンにより選択される再生データを再生することを特徴とするアラーム再生システム。
【請求項１２】
請求項１０又は請求項１１に記載のアラーム再生システムにおいて、
前記アラーム再生装置は、さらに、録音するためのマイクと、該マイクにより録音される録音データを記憶する録音データ記憶部とを具備し、
前記サーバは、前記録音データ記憶部により記憶される録音データを受信し、該録音データをアドレス情報に基づき所定の記憶装置に記憶することを特徴とするアラーム再生システム。
【請求項１３】
通信ネットワークを用いるアラーム再生方法であって、該方法は、
アラーム発生日時又は即時アラーム発生コマンドを含むアラーム発生タイミング情報と、概略再生データの部品である複数の要素データの組み合わせ情報と、詳細再生データのダウンロード先情報と、詳細再生データのダウンロードタイミング情報とを有するサーバと、
通信ネットワークを介して前記サーバに接続され、概略再生データの部品である複数の要素データを有するアラーム再生装置と、を用いるアラーム再生方法は、
概略再生データ再生ステップと、詳細再生データ再生ステップとを具備し、
前記概略再生データ再生ステップは、
前記アラーム再生装置が、前記サーバからの組み合わせ情報に基づき、複数の要素データを組み合わせて概略再生データを構築するステップと、
前記アラーム再生装置が、前記サーバからのアラーム発生タイミング情報のタイミングで、前記概略再生データを再生するステップと、を具備し、
前記詳細再生データ再生ステップは、
前記アラーム再生装置が、前記サーバからのダウンロードタイミング情報のタイミングで、前記サーバからのダウンロード先情報に基づき詳細再生データをダウンロードするステップと、
前記アラーム再生装置が、前記サーバからのアラーム発生タイミング情報のタイミングで、前記詳細再生データを再生するステップと、を具備する、
ことを特徴とするアラーム再生方法。
【請求項１４】
請求項１３に記載のアラーム再生方法において、前記サーバは、アラーム発生タイミング情報と組み合わせ情報とダウンロード先情報とダウンロードタイミング情報とを一括して送信し、前記アラーム再生装置は、これらを一括して受信することを特徴とするアラーム再生方法。
【請求項１５】
請求項１４に記載のアラーム再生方法において、前記サーバは、一括送信後、詳細再生データを作成し、該詳細再生データをダウンロード先情報に基づき所定の記憶装置に記憶することを特徴とするアラーム再生方法。
【発明の詳細な説明】
【技術分野】
【０００１】
本発明はアラーム再生システム及びアラーム再生方法に関し、特に、通信ネットワークを用いて、目覚ましアラームや緊急アラーム等を再生可能なアラーム再生システム及びアラーム再生方法に関する。
【背景技術】
【０００２】
従来からコンピュータ等を用いて音声データ等をダウンロードし再生する装置が開発されている。パーソナルコンピュータを用いれば、インターネット等の通信ネットワークを介してサーバから音声データをダウンロードし、再生することが現在でも可能である。しかしながら、アラームを鳴らすためだけにコンピュータの電源を常時オンにしておくのは無駄である。
【０００３】
そこで、コンピュータのような汎用性の高い機器ではなく、アラーム再生機能に特化したものが種々開発されている。例えば、特許文献１には、コンピュータに接続されるアラーム時計であって、コンピュータからの音声ファイルを記憶し、設定された時刻に音声が再生されるシステムが開示されている。
【０００４】
また、特許文献２には、通信ネットワークに接続可能な時計が開示されている。時計装置が定期的且つ自動的に通信ネットワーク上のサーバにアクセスし、プログラムやコンテンツがダウンロードされるものである。そして、サーバからダウンロードされた時間関連情報に応答して、事前に選択された情報の提供時期が決定されることが開示されている。
【０００５】
さらに、特許文献３には、緊急地震情報を基に警告を発するシステムが開示されている。これは、時刻を知らせるアラームと共に、緊急時の警告や案内等を行うことが可能なアラーム発生装置である。アラーム発生装置は通信ネットワークに接続可能であり、サーバから音声データをダウンロードし、音声を発生させる。発生させる音声データや発生タイミングは、ＷＥＢサイトの設定画面により設定可能である。
【先行技術文献】
【特許文献】
【０００６】
【特許文献１】特開２００２−０２２８６５号公報
【特許文献２】特表２００３−５２７６６８号公報
【特許文献３】特開２００８−１６５３２７号公報
【発明の概要】
【発明が解決しようとする課題】
【０００７】
上述の従来技術のように、通信ネットワークを用いて音声データをサーバからダウンロードするようなシステムの場合、サーバに対する負荷が問題となり得る。特に緊急地震速報等の緊急を要するアラームを提供するシステムの場合、多数の再生装置に同時に再生データをサーバから提供すると、サーバや通信ネットワークに非常に大きい負荷がかかることになる。また、サーバと再生装置間の通信データのやり取りが頻繁に起こると、これも負荷の原因となる。さらに、緊急地震速報等の緊急を要するアラームを提供するシステムの場合、通信回線の故障してしまう可能性も考えられるため、通信データのやり取りは最小限に抑えることが好ましい。
【０００８】
しかしながら、従来の装置では、上述のようなサーバ負荷を軽減することは難しく、また、通信データのやり取りも頻繁であったため、特に緊急時に使用するのは難しかった。
【０００９】
本発明は、斯かる実情に鑑み、サーバ負荷を軽減可能であり、サーバとの間で少ない通信データのやり取りで再生データを再生可能なアラーム再生システムを提供しようとするものである。
【課題を解決するための手段】
【００１０】
上述した本発明の目的を達成するために、本発明によるアラーム再生システムは、アラーム発生日時又は即時アラーム発生コマンドを含むアラーム発生タイミング情報と、再生データのダウンロード先情報を少なくとも含むアドレス情報とを有するサーバと、通信ネットワークを介してサーバに接続されるアラーム再生装置とを具備し、該アラーム再生装置が、サーバからアラーム発生タイミング情報とアドレス情報とを受信するサーバ情報受信部と、アドレス情報に基づき再生データをダウンロードする再生データ取得部と、アラーム発生タイミング情報のタイミングで、再生データ取得部による再生データを再生する再生部と、を具備するものである。
【００１１】
ここで、アラーム再生装置は、再生データの部品である複数の要素データを有し、サーバが有する再生データのアドレス情報には、さらに、複数の要素データの組み合わせ情報が含まれ、再生データ取得部は、さらに、アドレス情報に基づき複数の要素データを組み合わせて再生データを構築するものであっても良い。
【００１２】
また、サーバが有するアドレス情報の再生データのダウンロード先情報が分散されても良い。
【００１３】
さらに、サーバは、再生データのダウンロードタイミング情報を有し、サーバ情報受信部は、ダウンロードタイミング情報も受信し、再生データ取得部は、ダウンロードタイミング情報に基づき所定のタイミングで再生データをダウンロードするものであっても良い。
【００１４】
また、アラーム再生装置は、該アラーム再生装置からのリクエストに応じてサーバからアドレス情報を受信するようにしても良い。
【００１５】
また、アラーム再生装置は、さらに、入出力部を具備し、該入出力部に接続される外部機器を、サーバから制御可能であっても良い。
【００１６】
また、アラーム再生装置が複数存在し、各アラーム再生装置は装置ＩＤをそれぞれ有し、サーバは、アラーム再生装置の装置ＩＤのフィールドを含む装置テーブルと、各アラーム再生装置が属すべきグループＩＤのフィールドを含むグループテーブルと、装置ＩＤとグループＩＤを関連付ける関連付けテーブルとを具備するデータベースを有し、サーバが装置テーブルとグループテーブルと関連付けテーブルとを用いて、所定のグループＩＤに属する装置ＩＤを有するアラーム再生装置毎に異なるアラーム発生タイミング情報とアドレス情報とを送信するものであっても良い。
【００１７】
さらに、サーバは、地震の震源地と規模の情報を含む地震速報情報を受信する地震情報受信部を具備し、データベースを用いて震源地に基づきグループ分けされるグループＩＤに属する装置ＩＤを有するアラーム再生装置毎に異なるアラーム発生タイミング情報とアドレス情報を送信するものであっても良い。
【００１８】
また、地震情報受信部は、さらに、地震詳細情報を受信し、地震詳細情報に基づき再生データを生成し、該再生データをアドレス情報に基づき所定の記憶装置に記憶するものであっても良い。
【００１９】
さらに、アラーム再生装置は、再生データの再生内容に対して応答可能なボタンと、ボタンの動作に応じた応答信号を生成する応答信号生成部とを具備し、サーバのデータベースの装置テーブルには応答信号フィールドが含まれ、サーバは、応答信号生成部により生成される応答信号を受信し、応答信号フィールドに蓄積するものであっても良い。
【００２０】
また、再生データ取得部は、複数の再生データを取得し、ボタンは、複数の再生データから所定の再生データを選択可能であり、生成部は、ボタンにより選択される再生データを再生するものであっても良い。
【００２１】
さらに、アラーム再生装置は、録音するためのマイクと、該マイクにより録音される録音データを記憶する録音データ記憶部とを具備し、サーバは、録音データ記憶部により記憶される録音データを受信し、該録音データをアドレス情報に基づき所定の記憶装置に記憶するものであっても良い。
【００２２】
また、本発明の通信ネットワークを用いるアラーム再生方法は、アラーム発生日時又は即時アラーム発生コマンドを含むアラーム発生タイミング情報と、概略再生データの部品である複数の要素データの組み合わせ情報と、詳細再生データのダウンロード先情報と、詳細再生データのダウンロードタイミング情報とを有するサーバと、通信ネットワークを介してサーバに接続され、概略再生データの部品である複数の要素データを有するアラーム再生装置と、を用いるアラーム再生方法は、概略再生データ再生ステップと、詳細再生データ再生ステップとを具備し、概略再生データ再生ステップは、アラーム再生装置が、サーバからの組み合わせ情報に基づき、複数の要素データを組み合わせて概略再生データを構築するステップと、アラーム再生装置が、サーバからのアラーム発生タイミング情報のタイミングで、概略再生データを再生するステップと、を具備し、詳細再生データ再生ステップは、アラーム再生装置が、サーバからのダウンロードタイミング情報のタイミングで、サーバからのダウンロード先情報に基づき詳細再生データをダウンロードするステップと、アラーム再生装置が、サーバからのアラーム発生タイミング情報のタイミングで、詳細再生データを再生するステップと、を具備するものである。
【００２３】
ここで、サーバは、アラーム発生タイミング情報と組み合わせ情報とダウンロード先情報とダウンロードタイミング情報とを一括して送信し、アラーム再生装置は、これらを一括して受信するものであれば良い。
【００２４】
また、サーバは、一括送信後、詳細再生データを作成し、該詳細再生データをダウンロード先情報に基づき所定の記憶装置に記憶するものであっても良い。
【発明の効果】
【００２５】
本発明のアラーム再生システムには、サーバ負荷を軽減可能であり、サーバとの間で少ない通信データのやり取りで再生データを再生可能であるという利点がある。
【図面の簡単な説明】
【００２６】
【図１】図１は、本発明のアラーム再生システムの構成を説明するための概略ブロック図である。
【図２】図２は、本発明のアラーム再生システムに用いられるアラーム再生装置の概略構成図である。
【図３】図３は、本発明のアラーム再生システムのサーバとアラーム再生装置との間の情報のやり取りを説明するための図である。
【図４】図４は、サーバが有するデータベースの各テーブルを説明するための図である。
【図５】図５は、本発明のアラーム再生システムにおいて概略再生データを再生した後に詳細再生データを再生するときのサーバとアラーム再生装置との間の情報のやり取りを説明するための図である。
【発明を実施するための形態】
【００２７】
以下、本発明を実施するための形態を図示例と共に説明する。図１は、本発明のアラーム再生システムの構成を説明するための概略ブロック図である。図示の通り、本発明のアラーム再生システムは、インターネット等の通信ネットワーク１を介して接続されるサーバ２とアラーム再生装置３とから主に構成されている。また、各種設定等を行うことも可能なパーソナルコンピュータＰＣも通信ネットワーク１に接続されていても良い。
【００２８】
サーバ２には、アラーム発生タイミング情報と、アドレス情報とが記憶されている。アラーム発生タイミング情報とは、アラームを発生させるタイミングを定める情報であり、例えばアラーム発生日時や、即時にアラームを発生させるコマンド等である。なお、アラーム発生日時は、必ずしも日にちや時間を定めたものには限定されず、何分後というようなものであっても良い。また、アドレス情報とは、アラームとして鳴らす再生データのダウンロード先情報を少なくとも含むものである。ダウンロード先情報は、再生データが記憶された所定のファイルサーバ等の保存先アドレスであれば良い。
【００２９】
次に、本発明のアラーム再生システムの主要部となるアラーム再生装置３について説明する。アラーム再生装置３は、サーバ情報受信部と、再生データ取得部と、再生部とから主に構成されている。サーバ情報受信部は、サーバ２からアラーム発生タイミング情報とアドレス情報を受信するものである。再生データ取得部は、アドレス情報に基づき所定のファイルサーバ等から再生データをダウンロードするものである。再生部は、アラーム発生タイミング情報のタイミングで、再生データ取得部による再生データを再生するものである。なお、これら各部は、所謂組み込み装置で構成されれば良い。
【００３０】
図２は、本発明のアラーム再生システムに用いられるアラーム再生装置の概略構成図である。図示の通り、アラーム再生装置３は、処理装置３１と、通信装置３２と、記憶装置３３と、再生装置３４とからなる。処理装置３１は、各部に対して種々の情報処理や機器制御等を行う中心的なものであり、マイクロコンピュータやＤＳＰ（Ｄｉｇｉｔａｌ  Ｓｉｇｎａｌ  Ｐｒｏｃｅｓｓｅｒ）等からなるものである。通信装置３２は、通信ネットワーク１を介してサーバ２との通信を行うためのネットワークインタフェースである。通信装置３２は、有線方式や無線方式等何れでも良く、またプロトコルや通信速度等は特に特定のものに限定されるものではない。サーバ情報受信部は主に通信装置３２から構成され、これを介してサーバからアラーム発生タイミング情報やアドレス情報を受信する。また、再生データ取得部の再生データをダウンロードするのも通信装置３２を介して行われる。記憶装置３３は、受信したアラーム発生タイミング情報やアドレス情報、ダウンロードした再生データ等を記憶するものであり、具体的にはハードディスクやメモリ等である。再生装置３４は、再生データの音を再生するスピーカ等であれば良い。また、時刻や文字情報等の所定の情報を表示可能なＬＣＤやＬＥＤ表示装置等を具備していても良い。これらの各装置を組み合わせることで、上述のサーバ情報受信部や再生データ取得部、再生部が構成されている。
【００３１】
また、アラーム再生装置３には、必要によりボタン３５を設けても良い。ボタン３５は、例えば再生データの再生内容に対して応答可能なものであり、ボタンの動作に応じて所定の応答信号を生成するものである。ボタンにより生成された応答信号は、サーバ２で受信され蓄積されれば良い。また、アラーム再生装置３が複数の再生データを受信するように構成される場合には、ボタン３５を用いて複数の再生データから所定の再生データを選択できるようにしても良い。この場合、ボタンとして、例えば再生ボタンや巻き戻し早送りボタン等を用意しても良い。
【００３２】
さらに、アラーム再生装置３には、録音するためのマイクや録音データを記憶する記憶部を設けても良い。マイクを用いて使用者が音声等を録音し、これを録音データ記憶部に記憶しておく。必要により録音データを再生できるように構成しても良い。さらに、録音データをサーバに送信し、サーバがアドレス情報に基づき所定の記憶装置に記憶するようにしても良い。これにより、アラーム再生装置に設けられたマイクの音声をサーバが再生データとして所定のファイルサーバ等に記憶することも可能となる。
【００３３】
また、アラーム再生装置は、入出力部を有するように構成しても良い。入出力部には、外部機器が接続され、サーバから制御可能なように構成される。例えば外部機器としてエアーコンディッショナが接続された場合には、エアーコンディッショナのオンオフ制御や温度調整を、アラーム再生装置を介してサーバから制御できる。より具体的には、サーバにおいて提供される管理画面等に、通信ネットワークに接続されるパーソナルコンピュータ等を用いてアクセスし、所定の設定を行い決定すると、サーバからアラーム再生装置の入出力部へ制御信号を発するようにすれば良い。
【００３４】
このように、本発明のアラーム再生装置は、種々の機能を付加することが可能である。
【００３５】
次に、図３を用いて、サーバとアラーム再生装置間の情報のやり取りについて説明する。図３は、本発明のアラーム再生システムのサーバとアラーム再生装置との間の情報のやり取りを説明するための図である。まず、アラームの再生時刻であるアラーム発生タイミング情報と、アラーム音である再生データのダウンロード先情報が含まれるアドレス情報をサーバに予め設定する。設定は、アラーム再生装置３で行っても良いし、通信ネットワーク１に接続されるパーソナルコンピュータ等により行っても良い。
【００３６】
設定されたアラーム発生タイミング情報とアドレス情報をサーバ２から送信すると、アラーム再生装置３は通信ネットワークを介してこれらを受信する。アラーム再生装置３は、受信されたアドレス情報に基づき、ファイルサーバにダウンロード要求を行い、ファイルサーバから再生データをダウンロードする。そして、アラーム発生タイミング情報のタイミングで、再生データを再生する。このように、音声データのような比較的容量の大きい再生データを送受信する場合、サーバからアラーム再生装置へ再生データを送信する場合と、アラーム再生装置からの要求に応じて再生データをダウンロードする場合では、後者のほうが比較的サーバや通信ネットワークの負荷が少ない。これは、例えばアラーム再生装置がオフラインであったり電源が切れている場合、サーバがそれを感知しなければ、再生データを送信してそれに対するレスポンスが無いのを判断するのに時間とリソースを消費してしまうためである。
【００３７】
したがって、本発明では、アラーム再生装置３からのリクエストに応じてアドレス情報に基づきファイルサーバ等から再生データを受信するようにする。一方、サーバ２からは、比較的小さな容量である最小限必要なデータ、即ち、アラーム発生タイミング情報と、アドレス情報とを送信する。本発明のアラーム再生システムでは、このように通信を行うことで、サーバの負荷を軽減している。
【００３８】
なお、アラーム再生装置からのリクエストに応じてサーバからアドレス情報を受信するように構成しても良い。例えばアラーム再生装置がアドレス情報に基づき再生データのダウンロード要求を行ったが再生データが存在しなかった場合等には、アラーム再生装置がサーバに再度アドレス情報を送信するように要求し、改めてアドレス情報を受信する。
【００３９】
さらに、サーバ２が有するアドレス情報の再生データのダウンロード先情報は、通信ネットワークの負荷を分散させるために分散されていても良い。例えばアラーム再生装置３が複数存在する場合には、その数に応じてファイルサーバをいくつか設置し、ダウンロード先情報を複数のファイルサーバに適宜振り分ける。これにより、アラーム再生装置３が複数存在する場合でも、特定のファイルサーバにアクセスが集中することを防止可能である。なお、このような複数のファイルサーバは、それらの設置位置を物理的に離れた位置にしても良い。これにより、例えば特定のファイルサーバや通信回線に異常があった場合等でも、適宜正常なファイルサーバを利用することが可能となる。また、アラーム再生装置の設置位置に近いファイルサーバを優先的に用いるようにダウンロード先情報を適宜設定することも可能となる。
【００４０】
また、サーバ２に、アラーム再生装置３による再生データのダウンロードのタイミングを設定するためのダウンロードタイミング情報を持たせても良い。アラーム再生装置３では、アラーム発生タイミング情報やアドレス情報を受信すると共に、ダウンロードタイミング情報も受信する。そして、再生データを取得するときには、ダウンロードタイミング情報に基づき、所定のタイミングで再生データをダウンロードするように構成しても良い。アラーム再生装置３が複数存在する場合に、ダウンロードのタイミングを分散させることにより、ダウンロードタイミングが集中しないようにすることが可能となる。
【００４１】
次に、アラーム再生装置３が複数存在する場合の各装置の管理について説明する。図４は、サーバが有するデータベースの各テーブルを説明するための図である。図示の通り、データベースには、装置テーブルと、グループテーブルと、関連付けテーブルとが含まれる。装置テーブルには、アラーム再生装置の装置ＩＤのフィールドがある。また、各装置の仕様等を保存する装置情報のフィールドがあっても良い。さらに、例えばアラーム再生装置がボタンを有するものである場合、ボタンの動作に応じた応答信号を蓄積する応答信号フィールドが含まれていても良い。グループテーブルには、各アラーム再生装置が属すべきグループＩＤのフィールドがある。また、各グループの条件等を保存するグループ情報のフィールドがあっても良い。例えばこれは、装置の位置する地域を住所等でグループ分けした情報である。そして、関連付けテーブルは、装置ＩＤとグループＩＤを関連付けるものであり、Ｎｏ．、グループＩＤ、装置ＩＤのフィールド等がある。サーバは、装置テーブルとグループテーブルと関連付けテーブルを用いて、所定のグループＩＤに属する装置ＩＤを有するアラーム再生装置毎に異なるアラーム発生タイミング情報とアドレス情報を送信するようにすれば良い。また、グループＩＤについては、地域だけでなく、用途や特定の関連を有するグループ等のＩＤであっても良い。装置は複数のグループＩＤと関連付けられることが可能であり、１つの装置が複数のグループＩＤを有していても良い。例えば、装置の位置する地域グループだけでなく、目覚まし用途のグループ、地震速報情報用途のグループ、所定のサークル活動を行うグループ等、種々のグループＩＤに属することが可能なように、関連付けテーブルで関連付けられている。
【００４２】
次に、アラーム再生装置３にも予め所定の再生データを記憶しておく場合について説明する。アラーム再生装置３に、再生データの部品である複数の要素データを記憶装置３３に予め記憶しておく。要素データとは、例えば文章を所定の分節等で区切って複数の選択肢から種々のパターンの再生データを構築できるようなものである。例えば主語や目的語、述語等についてそれぞれいくつかの選択肢があり、これを要素データとして記憶しておく。このとき、サーバ２のアドレス情報には、これらの要素データを組み合わせて所定の再生データとなるような組み合わせ情報が含まれている。そして、アラーム再生装置３の再生データ取得部では、このような組み合わせ情報を有するアドレス情報に基づき、複数の要素データを組み合わせて所定の文章となる再生データを構築する。
【００４３】
図５を用いて、上述の要素データを用いて概略再生データを再生した後に詳細再生データを再生するときのサーバとアラーム再生装置との間の情報のやり取りについて説明する。まず、サーバ２が、アラーム発生タイミング情報と組み合わせ情報とダウンロード先情報とダウンロードタイミング情報とを一括して送信する。そして、アラーム再生装置３では、これらを一括して受信する。アラーム再生装置３では、サーバ２からの組み合わせ情報に基づき、複数の要素データを組み合わせて概略再生データを構築する。そして、アラーム発生タイミング情報のタイミングで、概略再生データを再生する。サーバ２側では、アラーム発生タイミング情報等を一括送信後、詳細再生データを生成し、ダウンロード先情報に基づきファイルサーバ等、所定の記憶装置に詳細再生データを記憶する。そして、アラーム再生装置３では、ダウンロードタイミング情報のタイミングで、ダウンロード先情報に基づき詳細再生データをダウンロードする。アラーム再生装置３は、ダウンロード完了後、アラーム発生タイミング情報のタイミングで、詳細再生データを再生する。なお、アラーム発生タイミング情報には、概略再生データの再生タイミングと詳細再生データの再生タイミングがそれぞれ含まれていれば良い。
【００４４】
アラーム発生タイミング情報等を一括で送信することで、分けて送信するのに比べて回線障害等により送信できなくなるリスクを減らすことが可能となる。但し、サーバは、必要により詳細再生データを記憶した後にアラーム再生装置へダウンロード先情報等を送信するように構成しても良い。
【００４５】
このように構成される本発明のアラーム再生システムを、緊急地震速報に適用した場合を例にして、以下に具体的に説明する。なお、この場合、サーバ２が地震の震源地と規模の情報を含む地震速報情報を受信するように構成される。そして、地震が発生し、サーバ２が地震情報を受信すると、上述のデータベースを用いて、震源地に基づきグループ分けされるグループＩＤに属する装置ＩＤを有するアラーム再生装置３毎に適したアラーム発生タイミング情報とアドレス情報を送信する。即ち、震源地からの距離でグループ分けされたグループ毎に異なるアラーム発生タイミング情報とアドレス情報を送信する。その他、ダウンロード先情報とダウンロードタイミング情報も一括送信すれば良い。これにより、震源地に近い地域に属するアラーム再生装置と、震源地から遠い地域に属するアラーム再生装置とはグループが分けられ、それぞれの地域にあった地震情報を提供することが可能となる。また、サーバからの送信タイミングとしても、震源地に近いグループから遠いグループの順番でそれぞれに適した地震情報を提供することも可能である。
【００４６】
より具体的に、本発明のアラーム再生システムを地震速報に適用した場合を例にして説明する。例えば、要素データとして以下の文字列がアラーム再生装置に記憶されているとする。
Ｂ：震度５強以上の地震
Ｍ：震度５、震度５弱の地震
Ｓ：震度４クラスの地震
１：かなり近くで
２：近くで
３：遠くで
そして、地震が発生したときに、サーバは地震速報情報に基づき地震の規模と位置に応じて、要素データを組み合わせた組み合わせ情報をアドレス情報としてグループ毎に送信する。組み合わせ情報は非常に短いものとなり、例えば「Ｂ１」というようなものとなる。本発明のアラーム再生システムでは、アドレス情報には再生データのダウンロード先情報も含まれているため、送信するアドレス情報としては、例えば「Ｂ１＋ダウンロードアドレス」というような、通信データ容量が非常に小さいものとなる。なお、ダウンロードアドレスについても、直接アドレスを送信するのではなく、予めコード化しておけば、所定のコードのみを送信するだけとなり、電文はさらに短くできる。アラーム再生装置では、アドレス情報に含まれる組み合わせ情報から、複数の要素データを組み合わせて、再生データを構築する。例えば「Ｂ１」というアドレス情報を受信すれば、「震度５以上の地震がかなり近くで起こりました」というような再生データを構築し、これをスピーカ等から再生する。上述のような６種類の要素データを用いれば、９通りの再生データが構築可能である。
【００４７】
そして、アラーム再生装置は、ダウンロードタイミング情報のタイミングで、ダウンロード先情報に基づき、詳細再生データをダウンロードする。詳細再生データは、そのグループに適した詳細な情報、例えば地震の詳細な震度や震源、避難場所等のデータである。サーバは、地震発生後に地震詳細情報を受信し、地震詳細情報に基づき各グループに適した再生データを生成する。一般的に、地震が発生して震源地等の詳細な情報が分かるのが５分程度である。したがって、ダウンロードタイミング情報としては、例えば７分後等に指定しておき、その間にサーバが詳細再生データを生成し、所定の記憶装置に記憶しておけば良い。
【００４８】
さらに、アラーム再生装置にボタンやマイクを設けた場合には、ボタンにより生存確認信号を発信したり、マイクによりメッセージを残しておくことも可能となる。
【００４９】
従来の地震速報は、地震到達時間を示しているためその正確性が疑問視されていた。また、地点毎の地震到達時間を計算するため、処理速度の問題もあった。しかしながら、本発明のアラーム再生システムによれば、第一報の情報伝達の優先度を上げ、地震発生時には大雑把な情報を先に行い、その後各地域にあった詳細な情報を提供可能となる。また、ダウンロード先やダウンロードタイミングを分散させることで、通信ネットワークやサーバの負荷を分散させることも可能であり、さらにサーバから送信する通信データは最小限とすることで、災害時でも的確にアラームを再生することが可能となる。
【００５０】
なお、本発明のアラーム再生システムは、単なる目覚まし時計として使用することも勿論可能である。毎日異なる目覚まし音を所定の時間に再生するようにも構成可能である。したがって、本発明のアラーム再生装置を普段は目覚まし時計として使用しつつ、災害時には緊急速報再生装置として利用することも可能である。
【００５１】
なお、本発明のアラーム再生システムは、上述の図示例にのみ限定されるものではなく、本発明の要旨を逸脱しない範囲内において種々変更を加え得ることは勿論である。例えば、図示例ではサーバとファイルサーバを分けて表示したが、本発明はこれに限定されず、サーバが再生データ等を記憶するものであっても勿論構わない。
【符号の説明】
【００５２】
１    通信ネットワーク
２    サーバ
３    アラーム再生装置
３１    処理装置
３２    通信装置
３３    記憶装置
３４    再生装置
３５    ボタン
【図１】
2010244275.tif 000003
【図２】
2010244275.tif 000004
【図３】
2010244275.tif 000005
【図４】
2010244275.tif 000006
【図５】
2010244275.tif 000007